(57)【要約】      （修正有）【課題】  内容物を気密に保持すると共に不正開封を防止し、しかも開封後に袋本体の最大幅一杯に広げて内容物を容易に取出し得る包装袋を提供する。【解決手段】    プラスチックチャック4と開閉する為のスライダー5とによって構成されたスライダーチャック6を筒状プラスチックフィルム7に装着してなる包装袋であって、スライダーチャックは本体部の幅と略同一の長さを有していて、筒状プラスチックフィルムの本体部8と冠状部9との境界付近において雄雌一対の鈎爪の下部フランジが筒状プラスチックフィルムの両内面に各々融着される形で装着されており、且つ冠状体のプラスチックチャックのスライダーより下位で前記フランジ部と筒状プラスチックフィルムとの融着部位より上位の部位に開封手段10a,10bを形成した包装袋とする。【選択図】    図１
2006076619.tif 000002
【特許請求の範囲】
【請求項１】
雄雌一対の鈎爪とその各々の上部フランジ及び下部フランジとによって構成されたプラスチックチャックと雄雌一対の鈎爪の咬合部を開閉する為のスライダーとによって構成されたスライダーチャックを筒状プラスチックフィルムに装着してなる包装袋であって、筒状プラスチックフィルムは一定の幅で上方に伸長する本体部と本体部の上方に位置して本体部より広い幅を有する冠状部とからなり、本体部の両側面並びに冠状部の両側面及び上端がシールされて互いに連続したシール部を形成しており、スライダーチャックは本体部の幅と略同一の長さを有していて、筒状プラスチックフィルムの本体部と冠状部との境界付近において雄雌一対の鈎爪の下部フランジが筒状プラスチックフィルムの両内面に各々融着される形で装着されており、且つ冠状体の、プラスチックチャックのスライダーより下位で前記フランジ部と筒状プラスチックフィルムとの融着部位より上位の部位に開封手段を形成したことを特徴とするスライダーチャック付き包装袋。
【請求項２】
冠状体に形成した開封手段が、開封すべき部位の一方端又は両端にＶカットを設けたことと冠状体を形成するプラスチックフィルムの延伸方向を冠状体の両端方向とすることにより構成されていることを特徴とする請求項１に記載のスライダーチャック付き包装袋。
【発明の詳細な説明】
【技術分野】
【０００１】
本発明は、各々フランジ部を有する雄雌一対の鈎爪からなる咬合部と該咬合部を開閉する為のスライダーとによって構成されたスライダー付きプラスチックチャック（本発明においては、「スライダーチャック」と記す。）を備えた包装袋であって、内容物を気密に保持すると共に不正開封を防止し、しかも開封後に袋本体の最大幅一杯に広げて内容物を容易に取出し得る包装袋に関するものである。
【背景技術】
【０００２】
従来、雄雌一対の鈎爪とその各々のフランジ部とによって構成されたプラスチックチャックを備えた軟質包装袋は、軽量、安価、リサイクルの容易さ、使用後の減容積率の大きさ、などの利点を有するため、種々の物品の包装袋として使用されている。
そして、特に食品、薬品等の、密封性と共に不正開封防止性が要求される用途の場合には、包装袋のプラスチックチャックより上方の伸長部もシールすることによりプラスチックチャックも取り込んだ形で全体を密封状態とするとともに該伸長部に開封手段を設けた包装袋も多く使用され始めている。この包装袋の場合、使用時までの不正開封の防止と、使用時の容易な開封が可能である。
【０００３】
一方、プラスチックチャックの開放は、通常は、各鈎爪の開口側フランジ部を把持して両側に引っ張り、咬合部を開放することにより行なうが、フランジ部が平滑なプラスチックフィルムからなる場合は滑りやすいため、子供やお年寄りなどの力の弱い人や、手が油汚れしている人などには、開放し難いという問題があり、該咬合部を開閉するためのスライダーを有するスライダーチャックも使用されている。
【０００４】
しかし、このようなスライダーチャックを装着した包装袋においては、スライダーがあるが故に、上記のように包装袋のプラスチックチャックより上方の伸長部もシールすることによっては全体を密封状態とすることはできず、スライダを含めたプラスチックチャック全体を密封空間に取り込む必要がある。
【０００５】
特許文献１に開示された袋は、そのようなスライダーチャックを口内に有する袋の例であり、図６に示したように、プラスチックチャック４とそれを開閉する為のスライダー５とによって構成されたスライダーチャック６において、プラスチックチャック４の下部フランジ３の長手方向の両端をＬ字状にカット２１ａ、２１ｂして逃げ部２２ａ、２２ｂを形成してここをヒートシール２３ａ、２３ｂし、更に、前記カット２１ａ、２１ｂの端部２４ａ、２４ｂを袋のサイドシール２５ａ、２５ｂ内に挟み込んでサイドシール２５ａ、２５ｂと一体に融着し、更に、前記スライダーチャック６を挿入した袋の口の上縁側をシール２６すると共に前記スライダーチャック６よりも下位に位置し、前記プラスチックチャック４の両サイドのカット２１ａ、２１ｂにかかる位置にＶカット２７ａ、２７ｂを設けている。
【０００６】
この特許文献１に記載された袋は、上記のような構成とすることにより、口をカットした後において、ファスナー全体が袋の口から露出しているためにスライダーでの開閉がしやすく、且つ外観の見栄えも良い袋を提供するという目的を達成したものである。
しかしながら、特許文献１に記載された袋は、両末端をＬ字状にカットしているためにスライダーチャックの長さは袋本体の最大幅より小さく、包装袋の開口幅はプラスチックチャックの開口幅に規制されて、袋本体の最大幅一杯に広げて内容物を取り出すことはできない。また、包装袋を逆さにして内容物を出そうとした場合は、両端の狭くなった部分に内容物が引っ掛かる事態が生じる。
【０００７】
【特許文献１】特開２００３−５４５８５号公報
【発明の開示】
【発明が解決しようとする課題】
【０００８】
本発明は、上記のような従来の技術の欠点を払拭した、内容物を気密に保持すると共に不正開封を防止し、しかも開封後に袋本体の最大幅一杯に広げて内容物を容易に取出し得る包装袋を提供するものである。
【課題を解決するための手段】
【０００９】
本発明者らは、上記の課題を解決すべく鋭意研究の結果、スライダーチャックを本体部の幅と略同一の長さとすると共に、本体部の上部を幅広にしてスライダーチャックを包み込むことによりその目的を達成し得ることを見出した。本発明は、かかる知見に基いてなされたものである。
【００１０】
即ち本発明は、
（１）雄雌一対の鈎爪とその各々の上部フランジ及び下部フランジとによって構成されたプラスチックチャックと雄雌一対の鈎爪の咬合部を開閉する為のスライダーとによって構成されたスライダーチャックを筒状プラスチックフィルムに装着してなる包装袋であって、筒状プラスチックフィルムは一定の幅で上方に伸長する本体部と本体部の上方に位置して本体部より広い幅を有する冠状部とからなり、本体部の両側面並びに冠状部の両側面及び上端がシールされて互いに連続したシール部を形成しており、スライダーチャックは本体部の幅と略同一の長さを有していて、筒状プラスチックフィルムの本体部と冠状部との境界付近において雄雌一対の鈎爪の下部フランジが筒状プラスチックフィルムの両内面に各々融着される形で装着されており、且つ冠状体の、プラスチックチャックのスライダーより下位で前記フランジ部と筒状プラスチックフィルムとの融着部位より上位の部位に開封手段を形成したことを特徴とするスライダーチャック付き包装袋、
及び
（２）冠状体に形成した開封手段が、開封すべき部位の一方端又は両端にＶカットを設けたことと冠状体を形成するプラスチックフィルムの延伸方向を冠状体の両端方向とすることにより構成されている上記（１）のスライダーチャック付き包装袋、
である。
【発明の効果】
【００１１】
本発明によれば、内容物を気密に保持すると共に不正開封を防止し、しかも開封後に袋本体の最大幅一杯に広げて内容物を容易に取出し得るスライダーチャック付き包装袋を得ることができる。
【発明を実施するための最良の形態】
【００１２】
以下、本発明を図に基づき説明する。尚、本発明に関する記述において、「上」は包装袋の口方向を、「下」は包装袋の底方向を、各々意味する。
図１は本発明の包装袋の１例を示す説明図であり、図２は図１におけるＡ−Ａ’線断面図であり、図３は開封時の状態を示す説明図である。なお、図１におけるＡ−Ａ’線の位置にはスライダーは存在しないが、図２では分かり易くするため、便宜的に、スライダーが存在するものとして描いている。
【００１３】
雄雌一対の鈎爪１ａ、１ｂとその各々の上部フランジ２ａ、２ｂ及び下部フランジ３ａ、３ｂとによって構成された（図２）プラスチックチャック４と該雄雌一対の鈎爪の咬合部を開閉する為のスライダー５とによって構成されたスライダーチャック６が筒状プラスチックフィルム７に装着されている。
筒状プラスチックフィルム７は一定の幅で上方に伸長する本体部８と本体部８の上方に位置して本体部８より広い幅を有する冠状部９とからなり、本体部の両側面８ａ、８ｂ並びに冠状部の両側面９ａ、９ｂ及び上端９ｃがシールされて互いに連続したシール部を形成している。
【００１４】
スライダーチャック６の長さＤ１は本体部８の幅Ｄ２と略同一となっており、筒状プラスチックフィルム７の本体部８と冠状部９との境界付近、筒状プラスチックフィルム７の幅が広がる部位において筒状プラスチックフィルム７の両内面７ａ、７ｂに鈎爪の下部フランジ３ａ、３ｂとが各々融着（図２）される形で装着されている。なお、プラスチックチャック４の両端部４ａ、４ｂもヒートシールされている。
冠状体８の両端のシール部を除いた幅Ｄ３は、本体部の幅Ｄ２より広く、従ってスライダーチャック６の長さＤ１より大きくなっており、両側面９ａ、９ｂ及び上端９ｃがシールされた冠状部により、スライダーチャック６が完全に覆われる形となっている。
【００１５】
冠状体８のスライダー５より下位の部位の両末端にＶカット１０ａ、１０ｂが設けられ、冠状体を形成するプラスチックフィルムの延伸方向を冠状体の両端方向とすることにより、開封位置１１での開封を可能としている。
Ｖカットは、冠状体の一方の末端にのみ設けてもよく、又、開封手段は特に限定されない。
【００１６】
図３に示したように、Ｖカットから冠状体を引き裂いて開封すると、開封位置１１がスライダー５より下方の位置にあるため、スライダー５が完全に露出し、スライダー５を使用したプラスチックチャック４の開閉をスムーズに行うことができる。
なお、開閉位置１１は下部フランジ３ａ、３ｂが筒状プラスチックフィルム７の両内面７ａ、７ｂとの融着部位１２にできるだけ近くした方が、余計なフィルムが残らないので好ましい。
【００１７】
プラスチックチャック及びスライダーとしては、特に制限はなく、従来公知の形状のものが使用し得る。
図２に示したプラスチックチャックは、特許第２，９３８，７８４号に記載された、雄鉤爪の内側に該爪と平行に連続締付壁を、雌鉤爪の内側に該爪と平行に連続押付けリブを、各々形成して、連続締付壁と連続押付けリブとの密着性や自緊効果によって優れた持続的密閉性や耐衝撃性を有する高密閉型のものであり、このプラスチックチャックに対しては、図４に示したような、上部フランジの部分２ａ、２ｂをスライダー５の内部ガイド５ａで押し広げることにより鉤爪同士の咬合を外しチャックを開くタイプのスライダー５を１例として示すことができる。その他、特開２００４−２０９８４１号公報に記載されている、先ず鉤爪同士の咬合を外した後に上部フランジの結合を解く形のスライダー等も例示することができる。
一方、図５は、通常型のプラスチックチャックに、鉤爪１ａ、１ｂの間に内部ガイド５ｂを挿入してチャックを開くタイプのスライダー５を組み合わせた例を示している。
【００１８】
本発明の包装袋における筒状プラスチックフィルムの材質は、プラスチックフイルムであれば特に限定されず、低密度ポリエチレン、高密度ポリエチレン、ポリプロピレン、ポリエステル、ポリアミド、ポリ塩化ビニル、ポリアクリレ−トなど、あるいはそれらのブレンド体の単層フイルム、ラミネ−トフイルム又は単層フイルムに金属や金属酸化物を蒸着したフイルム、金属箔、セロファン、不織布、紙などを多層にラミネ−トしたフイルムを用いることができる。いずれの場合においても、ヒ−トシ−ルによる接合を行う面はポリオレフィン系フイルムなどヒ−トシ−ル可能な材質であることが必要である。
プラスチックチャック及びスライダーの材質は、プラスチックであれば特に限定されず、低密度ポリエチレン、高密度ポリエチレン、ポリプロピレン、ポリエステル、ポリアミド、ポリ塩化ビニル、ポリアクリレ−トなど、あるいはそれらのブレンド体等を用いることができる。
但し、スライダーについては、摺動特性を低減するため、上記の樹脂に、更にフッ素、シリコン等の潤滑成分を配合した材質とするのが好ましい。
【００１９】
本発明の包装袋を製造する方法としては、例えば次のような工程の組み合わせによる方法を例示することができる。
(1) ２枚の原反プラスチックフィルムの一方側面の冠状体を形成する部分を、各々、相対する原反プラスチックフィルムとは逆の方向（以下この方向を「外側」、逆の方向を「内側」と記す。）に折り曲げる。
(2) 折り曲げた端部において、テープ状のプラスチックチャックを、雄雌一対の鉤爪の下方フランジを各原反プラスチックフィルムの内側に融着させる形で装着する。
(3) テープ状のプラスチックチャックの各個のプラスチックチャックの境界部分を溶融して潰した後、スライダーを装着する。
(4) プラスチックチャックの境界部分の溶融して潰した部分の中央部分をカットして、該部分中央の不要な部分を除去すると共に、両端の融着部分を含めて所定の長さを有する個々のプラスチックチャックに切り離す。
(5) ２枚の原反プラスチックフィルムにおいて外側に折り曲げていた、冠状体を形成する部分を、元の状態に折り返す。
(6) ２枚の原反プラスチックフィルムの所定部分をヒートシールする。
(7) ヒートシール部を切断して、個々の包装袋に切り離すと共に、不要なヒートシール部を除去する。
【図面の簡単な説明】
【００２０】
図１は本発明の包装袋の１例を示す説明図であり、図２は図１におけるＡ−Ａ’線断面図であり、図３は開封時の状態を示す説明図である。
【図１】本発明の包装袋の１例を示す説明図
【図２】図１におけるＡ−Ａ’線断面図
【図３】開封時の状態を示す説明図
【図４】スライダーチャックの１例を示す断面図
【図５】スライダーチャックの１例を示す断面図
【図６】従来のスライダーチャックを内部に取り付けた包装袋の例を示す説明図
【符号の説明】
【００２１】
１：
１ａ、１ｂ：鉤爪
２ａ、２ｂ：上部フランジ  
３ａ、３ｂ：下部フランジ                                                        ４：プラスチックチャック
５：スライダー
５ａ、５ｂ：内部ガイド
６：スライダーチャック
７：筒状プラスチック
７ａ、７ｂ：筒状プラスチックの内面                                              ８：本体部
８ａ、８ｂ：本体部側面のシール部                                                ９：冠状部
９ａ、９ｂ：冠状部側面のシール部                                                ９ｃ：冠状部上端のシール部
１０ａ、１０ｂ：Ｖカット                                                        １１：開封位置
１２：下部フランジと筒状プラスチックの内面との融着部
２１ａ、２１ｂ：カット
２２ａ、２２ｂ：逃げ部
２３ａ、２３ｂ：ヒートシール
２４ａ、２４ｂ：端部
２５ａ、２５ｂ：サイドシール
２６：シール
【産業上の利用可能性】
【００２２】
本発明の包装袋は、内容物を気密に保持すると共に不正開封を防止し、しかも開封後に袋本体の最大幅一杯に広げて内容物を容易に取出し得るものであり、気密の保持、不正開封防止及び取り出しの容易さを特に必要とする、食品や薬品等の包装袋として極めて有用なものである。
【図１】
2006076619.tif 000003
【図２】
2006076619.tif 000004
【図３】
2006076619.tif 000005
【図４】
2006076619.tif 000006
【図５】
2006076619.tif 000007
【図６】
2006076619.tif 000008